(57)【特許請求の範囲】
【請求項１】
記録情報から生成される記録信号に基づいて基準となる基準マーク長の整数倍で構成される複数のマーク長でなる記録マークを記録媒体に形成することにより上記記録情報を記録する光情報記録装置であって、
任意の上記記録情報である補償用記録情報から生成される補償用記録信号に基づいて上記記録媒体に上記記録マークを形成することにより上記補償用記録情報を記録した後、上記記録媒体から上記補償用記録情報を読み出して再生信号を生成する補償用情報記録再生部と、
上記基準マーク長に対応する周期の再生クロックを上記再生信号から生成する再生クロック生成部と、
上記再生信号の白レベルにおける信号レベルと当該信号レベルの出現確率との関係を表す分布曲線と、上記再生信号の黒レベルにおける信号レベルと当該信号レベルの出現確率との関係を表す分布曲線との交点を分布基準レベルとして決定する分布基準レベル決定部と、
上記再生クロックを基に定めた目標クロスタイミング付近における上記再生信号の信号レベルを上記分布基準レベルに近付けるように、上記補償用記録信号を補正する補正量を上記記録補正量として算出する補正量算出部と、
上記記録情報から生成される記録情報信号を上記記録補正量だけ補正することにより生成された記録信号に基づいて、上記記録媒体に記録マークを形成する記録情報記録部と
を有する光情報記録装置。
【請求項２】
上記再生クロック生成部は、
上記再生クロックの半周期を上記基準マーク長の半分の長さに対応させており、
上記補正量算出部は、
上記再生クロックの立ち上がり及び立ち下がりのうち一方のタイミングを目標クロスタイミングとし、
上記分布基準レベル決定部は、
上記再生クロックの立ち上がり又は立ち下がりのうち他方のタイミングにおける信号レベルを上記白レベル又は上記黒レベルの信号レベルとして検出する
請求項１に記載の光情報記録装置。
【請求項３】
上記補正量算出部は、
上記目標クロスタイミングと上記再生信号が上記分布基準レベルとなるゼロクロスタイミングとの時間差に基づいて上記記録補正量を算出する
請求項１に記載の光情報記録装置。
【請求項４】
上記補正量算出部は、
上記時間差が所定の閾値以上であった場合には、上記補償用情報記録再生部によって上記記録補正量だけ上記補償用記録信号を補正させると共に上記補償用記録情報の記録及び再生を実行させる
請求項３に記載の光情報記録装置。
【請求項５】
上記補正量算出部は、
上記時間差に対し、１以下となる任意の定数を乗算することにより上記記録補正量を算出する
請求項４に記載の光情報記録装置。
【請求項６】
上記補正量算出部は、
上記複数のマーク長ごとに上記記録補正量を算出する
請求項１に記載の光情報記録装置。
【請求項７】
上記補正量算出部は、
上記マーク長とスペース長との組み合わせごとに上記記録補正量を算出する
請求項１に記載の光情報記録装置。
【請求項８】
上記記録媒体は、
立体的な記録マークを記録する体積型記録媒体である
請求項１に記載の光情報記録装置。
【請求項９】
記録情報信号から生成される記録信号に基づいて基準となる基準マーク長の整数倍で構成される複数のマーク長でなる記録マークを記録媒体に形成することにより記録情報を記録する際、上記記録情報から生成される上記記録情報信号に対する記録補正量を算出する記録補正量算出方法において、
任意の上記記録情報である補償用記録情報から生成される補償用記録信号に基づいて上記記録媒体に上記記録マークを形成することにより上記補償用記録情報を記録した後、上記記録媒体から上記補償用記録情報を読み出して再生信号を生成する補償用情報記録再生ステップと、
上記基準マーク長に対応する周期の再生クロックを上記再生信号から生成する再生クロック生成ステップと、
上記再生信号の白レベルにおける信号レベルと当該信号レベルの出現確率との関係を表す分布曲線と、上記再生信号の黒レベルにおける信号レベルと当該信号レベルの出現確率との関係を表す分布曲線との交点を分布基準レベルとして決定する分布基準レベル決定ステップと、
上記再生クロックを基に定めた目標クロスタイミング付近における上記再生信号を上記分布基準レベルに近付けるように、上記補償用記録信号を補正する補正量を上記記録補正量として算出する補正量算出ステップと
を有する記録補正量算出方法。
【発明の詳細な説明】
【技術分野】
【０００１】
本発明は光情報記録装置及び記録補正量算出方法に関し、例えば光ビームを用いて記録媒体に情報を記録する光ディスク装置に適用して好適なものである。
【背景技術】
【０００２】
従来、光情報記録再生装置としては、情報記録層を有する円盤状の光ディスクを情報記録媒体として用いる光ディスク装置が広く普及しており、情報記録媒体としては、一般にＣＤ（Compact Disc）、ＤＶＤ（Digital Versatile Disc）及びＢｌｕ−ｒａｙ  Ｄｉｓｃ（登録商標、以下ＢＤと呼ぶ）等が用いられている。
【０００３】
ところで光ディスク装置では、音楽コンテンツや映像コンテンツ等の各種コンテンツ、或いはコンピュータ用の各種データ等のような種々の情報を光ディスクに記録するようになされている。特に近年では、映像の高精細化や音楽の高音質化等により情報量が増大し、また１枚の光ディスクに記録するコンテンツ数の増加が要求されているため、当該光ディスクのさらなる大容量化が求められている。
【０００４】
そこで、光ディスクを大容量化する手法の一つとして、一の光源から出射された光ビームを第１及び第２の光ビームに分離すると共に、当該第１及び第２の光ビームを干渉させてなる微小なホログラムを記録マークとして光ディスクの厚さ方向に複数重ねるように形成することにより、１層の記録層内に複数層に相当する情報を記録するようになされた光ディスク装置が提案されている（例えば、特許文献１参照）。
【０００５】
この光ディスク装置は、情報再生処理の際、記録層内の任意の照射位置に光ビームを照射し、光ディスクによって反射されてなる戻り光ビームの光量から記録マークの有無を検出することにより、記録層に記録された情報を記録マークに基づいて再生するようになされている。
【特許文献１】特開２００７−２２０２０６公報（第１図、第４図及び第５図）
【発明の開示】
【発明が解決しようとする課題】
【０００６】
ところで情報記録層を有する光ディスクを再生する一般的な光ディスク装置（以下、これを従来型光ディスク装置と呼ぶ）では二値化閾値を設定し、光ディスクに記録された情報に基づいて生成された再生信号ＲＦの信号レベルが当該二値化閾値よりも高い「Ｈｉｇｈ」であるか、当該二値化閾値よりも低い「Ｌｏｗ」であるかによって当該再生信号ＲＦを二値化し、記録マークの有無を判別するようになされている。
【０００７】
このとき従来型光ディスク装置は、閾値設定のための回路をＬＰＦ（Low Pass Filter）などの比較的簡易な素子によって構成できるといった理由から、所定の閾値検出期間において二値化後の再生信号ＲＦにおける「Ｈｉｇｈ」の期間と「Ｌｏｗ」の期間とが等しくなるように二値化閾値を設定するようになされている。
【０００８】
この従来型光ディスク装置は、再生信号ＲＦにおけるＤＣ（Direct Current）成分が極力少なくなるように変調方式が設計されていることから、再生信号ＲＦにおいて比較的短い期間に「Ｈｉｇｈ」の期間と「Ｌｏｗ」の期間とが繰り返されることになり、閾値検出期間でなる再生信号ＲＦから適切に二値化閾値を設定することができる。
【０００９】
しかしながら特許文献１の光ディスクでは、記録層内に立体的な記録マークを形成するため、情報再生処理において光ビームが照射された際、例えば記録マークの形状のばらつきに応じて戻り光ビームの光量にばらつきを生じさせ易いといった特性を有している。一方光ディスクは、記録マークが形成されていない位置に光ビームが照射された場合には、戻り光ビームの光量にばらつきを生じさせることはない。
【００１０】
このため特許文献１の光ディスク装置は、情報再生処理を実行すると、記録マークを記録した位置に基づく再生信号ＲＦの振幅レベル（以下、これを白レベルと呼ぶ）のばらつきと、記録マークを記録していない位置に基づく再生信号ＲＦの振幅レベル（以下、これを黒レベルと呼ぶ）のばらつきとが大きく異なる再生信号ＲＦを生成することになる。
【００１１】
この結果光ディスク装置は、従来型光ディスク装置のように「Ｈｉｇｈ」の期間と「Ｌｏｗ」の期間とが等しくなるように二値化閾値を設定すると、二値化（すなわち記録マークの有無の判別）における誤判断の確率（以下、これをエラーレートと呼ぶ）が高くなってしまうという問題があった。
【００１２】
本発明は以上の点を考慮してなされたもので、エラーレートを低下させ得る光情報記録装置及び記録補正量算出方法を提案しようとするものである。
【課題を解決するための手段】
【００１３】
かかる課題を解決するため本発明では、記録情報から生成される記録信号に基づいて基準となる基準マーク長の整数倍で構成される複数のマーク長でなる記録マークを記録媒体に形成することにより記録情報を記録する光情報記録装置であって、任意の記録情報である補償用記録情報から生成される補償用記録信号に基づいて記録媒体に記録マークを形成することにより補償用記録情報を記録した後、記録媒体から補償用記録情報を読み出して再生信号を生成する補償用情報記録再生部と、基準マーク長に対応する周期の再生クロックを再生信号から生成する再生クロック生成部と、上記再生信号の白レベルにおける信号レベルと当該信号レベルの出現確率との関係を表す分布曲線と、再生信号の黒レベルにおける信号レベルと当該信号レベルの出現確率との関係を表す分布曲線との交点を分布基準レベルとして決定する分布基準レベル決定部と、再生クロックを基に定めた目標クロスタイミング付近における再生信号の信号レベルを分布基準レベルに近付けるように、補償用記録信号を補正する補正量を記録補正量として算出する補正量算出部と、記録情報から生成される記録情報信号を記録補正量だけ補正することにより生成された記録信号に基づいて、記録媒体に記録マークを形成する記録情報記録部とを設けるようにした。
【００１４】
これにより情報再生処理の際、記録情報を読み出して生成される再生信号において「Ｈｉｇｈ」と「Ｌｏｗ」との期間が等しくなる二値化閾値を、白レベル及び黒レベルの出現確率が同等となり二値化判定に適する分布基準レベル付近に設定させることができる。
【００１５】
また本発明では、記録情報信号から生成される記録信号に基づいて基準となる基準マーク長の整数倍で構成される複数のマーク長でなる記録マークを記録媒体に形成することにより記録情報を記録する際、記録情報から生成される記録情報信号に対する記録補正量を算出する記録補正量算出方法において、任意の記録情報である補償用記録情報から生成される補償用記録信号に基づいて記録媒体に記録マークを形成することにより補償用記録情報を記録した後、記録媒体から補償用記録情報を読み出して再生信号を生成する補償用情報記録再生ステップと、基準マーク長に対応する周期の再生クロックを再生信号から生成する再生クロック生成ステップと、再生信号の白レベルにおける信号レベルと当該信号レベルの出現確率との関係を表す分布曲線と、再生信号の黒レベルにおける信号レベルと当該信号レベルの出現確率との関係を表す分布曲線との交点を分布基準レベルとして決定する分布基準レベル決定ステップと、再生クロックを基に定めた目標クロスタイミング付近における再生信号を分布基準レベルに近付けるように、補償用記録信号を補正する補正量を記録補正量として算出する補正量算出ステップとを設けるようにした。
【００１６】
これにより情報再生処理の際、記録情報を読み出して生成される再生信号において「Ｈｉｇｈ」と「Ｌｏｗ」との期間が等しくなる二値化閾値を、白レベル及び黒レベルの出現確率が同等となり二値化判定に適する分布基準レベル付近に設定させることができる。
【発明の効果】
【００１７】
本発明によれば、情報再生処理の際、記録情報を読み出して生成される再生信号において「Ｈｉｇｈ」と「Ｌｏｗ」との期間が等しくなる二値化閾値を、白レベル及び黒レベルの出現確率が同等となり二値化判定に適する分布基準レベル付近に設定させることができ、かくしてエラーレートを低下させ得る光情報記録装置及び記録補正量算出方法を実現できる。
【発明を実施するための最良の形態】
【００１８】
以下、図面について、本発明の一実施の形態を詳述する。
【００１９】
（１）光ディスク装置の構成
図１において１は、全体として光ディスク装置を示しており、制御部２により全体を統括制御するようになされている。
【００２０】
制御部２は、図示しないＣＰＵ（Central Processing Unit）を中心に構成されており、図示しないＲＯＭ（Read Only Memory）から基本プログラムや情報記録プログラム、記録補正量算出プログラム等の各種プログラムを読み出し、これらを図示しないＲＡＭ（Random Access Memory）に展開することにより、情報記録処理及び記録補正量算出処理等の各種処理を実行するようになされている。
【００２１】
例えば制御部２は、光ディスク１００が装填された状態で、図示しない外部機器等から情報記録命令、記録情報及び記録アドレス情報を受け付けると、駆動命令及び記録アドレス情報を駆動制御部３へ供給すると共に、記録情報を信号処理部４へ供給する。因みに記録アドレス情報は、光ディスク１００の記録層１０１に付されたアドレスのうち、記録情報を記録すべきアドレスを示す情報である。
【００２２】
駆動制御部３は、駆動命令に従い、スピンドルモータ５を駆動制御することにより光ディスク１００を所定の回転速度で回転させると共に、スレッドモータ６を駆動制御することにより、光ピックアップ１０を移動軸７Ａ及び７Ｂに沿って光ディスク１００の径方向（すなわち内周方向又は外周方向）における記録アドレス情報に対応した位置（仮想のトラック）へ移動させる。
【００２３】
信号処理部４は、供給された記録情報に対して変調処理（例えば１−７ＰＰ（Parity preserve / Prohibit repeated minimum ransition length）変調処理）や所定の符号化処理等の各種信号処理を施すことにより記録情報信号を生成すると共に、当該記録情報信号に対し記録補償処理を施して記録信号を生成し、これを光ピックアップ１０へ供給する。
【００２４】
光ピックアップ１０は、図２に示すように、側面略コ字状に構成されており、光ディスク１００に対して両面から焦点を合わせて記録光ビームＬ１を照射し得るようになされている。
【００２５】
ここで光ディスク１００は、全体として従来のＣＤ、ＤＶＤ及びＢＤと同様に直径約１２０［ｍｍ］の円盤状に構成されており、中央部分に孔部１００Ｈが形成されている。この光ディスク１００は、図３（Ａ）に断面図を示すように、基板１０２及び１０３により情報を記録するための記録層１０１を両面から挟むように構成され、記録層１０１内の複数の層に記録マークＲＭが形成されることが想定されている。
【００２６】
すなわち光ピックアップ１０（図１）は、レーザドライバ１１によって記録信号に応じたレーザ駆動電流を生成しレーザダイオード１２に供給することにより、レーザダイオード１２からレーザ光でなる記録光ビームＬ１を出射する。光ピックアップ１０は、光分離部１３によって記録光ビームＬ１を記録光ビームＬ１ａ及びＬ１ｂに分離し、対物レンズ１４及び１５にそれぞれ入射する。
【００２７】
光ピックアップ１０は、駆動制御部３の制御に基づいて２軸アクチュエータ１４Ａ及び１５Ｂを駆動し、対物レンズ１４及び１５を光ディスク１００の半径方向であるトラッキング方向に移動させるトラッキング制御を実行する。これにより光ピックアップ１０は、光ディスク１００の記録層１０１における記録アドレス情報に対応する仮想のトラック（以下、これを仮想トラックと呼ぶ）に記録光ビームＬ１ａ及びＬ１ｂの照射位置を合わせる。
【００２８】
また光ピックアップ１０は、同様にして対物レンズ１４及び１５を光ディスク１００に近接又は離隔するフォーカス方向に移動させるフォーカス制御を実行する。これにより光ピックアップ１０は、記録アドレス情報に対応する仮想の記録層（以下、これを仮想マーク層と呼ぶ）に記録光ビームＬ１ａ及びＬ１ｂを照射すると共に、当該記録光ビームＬ１ａ及びＬ１ｂの焦点を合致させる。
【００２９】
このように光ピックアップ１０は、記録層１０１における任意の仮想マーク層における任意の仮想トラック（以下、これを目標トラックと呼ぶ）に記録光ビームＬ１ａ及びＬ１ｂの焦点付近に定在波を形成し、ホログラムでなる記録マークＲＭを形成する。
【００３０】
そして図３（Ｂ）に示すように、光ピックアップ１０は、記録アドレス情報に応じて記録光ビームＬ１ａ及びＬ１ｂの焦点を任意の深さに移動させることにより、記録層１０１内の複数の仮想マーク層に記録マークＲＭを生成するようになされている。
【００３１】
この結果図４に示すように、光ピックアップ１０は、信号処理部４から供給される記録信号に応じたマーク長（例えば２Ｔ〜８Ｔ）でなる記録マークＲＭを記録層１０１に記録するようになされている。
【００３２】
また制御部２は、例えば外部機器（図示せず）から情報再生命令及び当該再生対象となるアドレスを示す再生アドレス情報を受け付けると、駆動制御部３に対して駆動命令を供給すると共に、再生処理命令を信号処理部４へ供給する。
【００３３】
駆動制御部３は、情報を記録する場合と同様、スピンドルモータ５を駆動制御することにより光ディスク１００を所定の回転速度で回転させると共に、スレッドモータ６を駆動制御することにより光ピックアップ１０を再生アドレス情報に対応した位置へ移動させる。
【００３４】
光ピックアップ１０は、駆動制御部３（図１）の制御に基づいてフォーカス制御及びトラッキング制御を行うことにより、光ディスク１００の記録層１０１における再生アドレス情報により示されるトラック（すなわち目標トラック）に読出光ビームＬ２の照射位置を合わせ、光ディスク１００の片面側からのみ所定光量の読出光ビームＬ２を照射する。
【００３５】
すなわち図５に示すように光ピックアップ１０は、光分離部１３によって対物レンズ１５にのみ読出光ビームＬ２を入射することにより、当該対物レンズ１５を介して読出光ビームＬ２を記録層１０１における目標トラックに照射する。
【００３６】
このとき光ピックアップ１０は、フォトディテクタ１６（図１）によって光ディスク１００における記録層１０１（図３）の記録マークＲＭから発生される再生光ビームＬ３を受光し、その光量に応じた検出信号を信号処理部４へ供給するようになされている。
【００３７】
信号処理部４（図１）は、供給された検出信号に基づいて再生信号ＲＦを生成すると共に、当該再生信号ＲＦにおける「Ｈｉｇｈ」及び「Ｌｏｗ」の期間が等しくなるように二値化閾値ＡＯを設定し、当該再生信号ＲＦから二値化信号を生成する。
【００３８】
さらに信号処理部４は、二値化信号に対して所定の復調処理や復号化処理等の各種信号処理を施すことにより再生情報を生成し、この再生情報を制御部２へ供給する。これに応じて制御部２は、この再生情報を外部機器（図示せず）へ送出するようになされている。
【００３９】
このように光ディスク装置１は、制御部２によって光ピックアップ１０を制御することにより、光ディスク１００の記録層１０１における目標トラックに情報を記録し、また当該目標トラックから情報を再生するようになされている。
【００４０】
（２）記録補正量算出処理の具体的な処理内容
上述したように光ディスク装置１では、情報再生処理の際、「Ｈｉｇｈ」及び「Ｌｏｗ」の期間が等しくなるように二値化閾値ＡＯを設定して再生信号ＲＦを二値化する。このため光ディスク装置１では、任意の信号レベルで再生信号ＲＦにおける「Ｈｉｇｈ」及び「Ｌｏｗ」が切り替わるように（すなわちゼロクロスするように）、予め記録マークＲＭの長さを補正して記録するようになされている。
【００４１】
すなわち光ディスク装置１は、情報記録処理の際、記録情報から生成される記録情報信号を記録補正量だけ補正して記録信号を生成する記録補償処理を実行することにより、記録マークＲＭの長さを補正するようになされている。次に、記録補正量を決定する記録補正量算出処理について説明する。
【００４２】
図６（Ａ）に、ホログラムでなる記録マークＲＭを形成した光ディスク１００に対して情報再生処理を実行した場合に生成される再生信号ＲＦを重複させたアイパターンＩＰを示している。
【００４３】
図より、アイパターンＩＰにおける記録マークＲＭが存在する位置から得られる再生信号ＲＦの振幅（以下、これを白レベルと呼ぶ）のばらつきは、記録マークＲＭが存在しない位置（すなわちスペースＳＰ）から得られる再生信号ＲＦの振幅（以下、これを黒レベルと呼ぶ）のばらつきと比して大きいことがわかる。
【００４４】
図６（Ｂ）に白レベル及び黒レベルが検出された信号レベル及び積算回数（すなわち当該信号レベルが出現する確率）を表す分布曲線をそれぞれ示している。白レベルの分布曲線ＷＣは信号レベル軸方向に大きく広がっており、白レベルのばらつきが大きいことを示している。これに対して黒レベルの分布曲線ＢＣは信号レベル軸方向に狭い領域に集中しており、黒レベルのばらつきが小さいことを示している。
【００４５】
一般的にこのような白レベルと黒レベルとでばらつきの異なる信号を二値化する場合、仮に白レベルの信号レベルの平均値と黒レベルの信号レベルの平均値との中間値ＣＴを二値化閾値ＡＯとして設定すると、「Ｈｉｇｈ」と「Ｌｏｗ」とを誤判断する確率（以下、これをエラーレートと呼ぶ）が高くなってしまうことが知られている。
【００４６】
従って光ディスク装置が仮に中間値ＣＴに「Ｈｉｇｈ」と「Ｌｏｗ」とが切り替わるように記録補償処理を実行すると、エラーレートが高くなってしまう。
【００４７】
そこで本実施の形態における光ディスク装置１は、白レベルと黒レベルとのばらつきの差異に応じた信号レベルで再生信号ＲＦがゼロクロスするように記録補正量を決定するようにした。
【００４８】
実際上、光ディスク装置１における制御部２（図１）は、情報記録処理を開始する際、記録補償処理部３０によって記録補正量算出処理を実行する。
【００４９】
図７に示すように記録補償処理部３０の補償用情報記録／再生部３１は、外部機器等から情報記録命令が供給されると、予めＲＯＭに記憶されている記録情報としての補償用記録情報を読み出し、これを信号処理部４に供給する。信号処理部４は、図８（Ａ）及び（Ｂ）に示すように所定の記録クロックＣＬｗの立ち下がりタイミングで基準レベルＳＬとゼロクロスする補償用記録信号Ｓｗを生成し、補償用情報記録／再生部３１に供給する。
【００５０】
補償用情報記録／再生部３１は、図８（Ｃ）に示すように、補償用記録信号Ｓｗに基づいて記録層１０１における所定の補償用記録領域に記録マークＲＭを形成する。
【００５１】
さらに補償用情報記録／再生部３１は、記録した直後の補償用記録情報を補償用記録領域から読み出し、図８（Ｄ）に示すように、信号処理部４によって再生信号ＲＦを生成させる。
【００５２】
再生クロック生成部３２は、再生信号ＲＦに対してＰＬＬ（Phase Locked Loop）処理を行うことにより、図８（Ｅ）に示すように、マーク長１Ｔの半分の長さが信号の半周期に相当する再生クロックＣＬｒを生成すると共に、再生信号ＲＦと再生クロックＣＬｒを同期させる。なおこの再生クロックＣＬｒは、「Ｈｉｇｈ」と「Ｌｏｗ」との期間が等しくなる二値化閾値ＡＯにおいて再生信号ＲＦがゼロクロスするタイミングで立ち下がるよう生成される。
【００５３】
分布基準レベル決定部３３（図７）は、再生信号ＲＦを再生クロックＣＬｒが立ち上がる黒白検出タイミングで検出（サンプリング）し、検出された再生信号ＲＦの信号レベルから当該再生信号ＲＦが白レベルであるか黒レベルであるかを分類した上で、当該分類された信号レベルをＲＡＭに一時記憶する。
【００５４】
さらに分布基準レベル決定部３３は、例えば記憶された信号レベルが所定の統計数に到達すると、再生ＲＦ信号からの信号レベルの検出を終了し、白レベル及び黒レベルそれぞれについて、信号レベルと当該信号レベルが検出された積算回数との関係を例えば高次の関数として表し、曲線化する。
【００５５】
これにより分布基準レベル決定部３３は、白レベルの分布曲線ＷＣ及び黒レベルの分布曲線ＢＣをそれぞれ生成することができる。なおこの分布曲線ＷＣ及びＢＣをグラフ化すると、図６（Ｂ）のようになる。この分布曲線ＷＣ及びＢＣは、曲線形状が白レベル及び黒レベルのばらつきを表しており、ばらつきが大きければ緩やかな曲線形状となり、ばらつきが小さければ急峻な曲線形状となる。
【００５６】
そして分布基準レベル決定部３３（図７）は、当該分布曲線ＷＣ及びＢＣ（図６（Ｂ））の交点となる信号レベルを分布基準レベルＡＤとして算出する。このとき分布基準レベル決定部３３は、例えば白レベルのばらつきが黒レベルよりも大きい場合、中間値ＣＴよりも黒レベル寄りの信号レベルを分布基準レベルＡＤとして算出することになる。
【００５７】
すなわち分布基準レベル決定部３３は、再生信号ＲＦにおける白レベル及び黒レベルのばらつきの差異に応じて当該再生信号ＲＦの二値化判定に適する信号レベルを分布基準レベルＡＤとして決定し得るようになされている。
【００５８】
図９（Ｂ）に示すように、ゼロクロス時間誤差算出部３４は、分布基準レベルＡＤを基準レベル（ゼロ）とし、再生ＲＦ信号において処理対象となるマーク長（以下、これを処理対象マーク長と呼ぶ）でなる記録マークＲＭの開始エッジＥｓに対応する部分のゼロクロスのタイミングを検出する。
【００５９】
具体的にゼロクロス時間誤差算出部３４は、再生信号ＲＦが分布基準レベルＡＤと交わるタイミングと再生クロックＣＬｒ（図９（Ａ））の立ち下がりタイミング（以下、これを目標クロスタイミングと呼ぶ）との差分をゼロクロス時間誤差ΔＴとして算出する。そしてゼロクロス時間誤差算出部３４は、算出されたゼロクロス時間誤差ΔＴが所定の算出数に到達すると、ゼロクロス時間誤差ΔＴの平均値を平均時間誤差ＡΔＴとして算出する。
【００６０】
ゼロクロス時間誤差算出部３４は、同様にして処理対象マーク長でなる記録マークＲＭの終了エッジＥｅに対応する平均時間誤差ＡΔＴを算出する。そしてゼロクロス時間誤差算出部３４は、同様の処理により全てのマーク長の開始エッジＥｓ及び終了エッジＥｅに対応する平均時間誤差ＡΔＴを算出する。
【００６１】
例えばゼロクロス時間誤差算出部３４は、再生ＲＦ信号において処理対象マーク長であるマーク長２Ｔの記録マークＲＭ（すなわち２Ｔマーク）の開始エッジＥｓに対応する部分がゼロクロスするタイミングを検出し、平均時間誤差ＡΔＴ２ｓを算出する。
【００６２】
さらにゼロクロス時間誤差算出部３４は、再生ＲＦ信号においてマーク長２Ｔでなる記録マークＲＭの終了エッジＥｅに対応する部分がゼロクロスするタイミングを検出し、平均時間誤差ＡΔＴ２ｅを算出する。
【００６３】
ゼロクロス時間誤差算出部３４は、処理対象マーク長をマーク長３Ｔ〜８Ｔに逐次変更し、同様の処理を行うことにより、マーク長３Ｔ〜８Ｔについての平均時間誤差ＡΔＴ３ｓ〜ＡΔＴ８ｓ及びＡΔＴ３ｅ〜ＡΔＴ８ｅをそれぞれ算出する。
【００６４】
すなわちゼロクロス時間誤差算出部３４は、各マーク長でなる記録マークＲＭの開始エッジＥｓ及び終了エッジＥｅごとに、分布基準レベルＡＤをゼロとしたときの再生信号ＲＦのゼロクロスのタイミングと、目標クロスタイミングとのズレ量の平均値を平均時間誤差ＡΔＴとして算出するようになされている。
【００６５】
補正量算出部３５（図７）は、各平均時間誤差ＡΔＴ（ＡΔＴ２ｓ〜ＡΔＴ８ｓ及びＡΔＴ２ｅ〜ＡΔＴ８ｅ）が所定の時間誤差閾値未満であるか否かを判別する。補正量算出部３５は、平均時間誤差ＡΔＴが当該時間誤差閾値以上であると判別した場合には、当該平均時間誤差ＡΔＴに１以下でなる定数（例えば０．８）を乗算することにより、補償用記録信号Ｓｗに対する記録補正量を算出し、これを補償用情報記録／再生部３１に供給する。
【００６６】
補償用情報記録／再生部３１は、補償用記録情報及び記録補正量を信号処理部４に供給する。そして信号処理部４は、図９（Ｃ）及び（Ｄ）に示すように、記録クロックＣＬｗから記録補正量だけずれたタイミングで基準レベルＳＬとゼロクロスする補償用記録信号Ｓｗを生成し、光ピックアップ１０に供給する。
【００６７】
補償用情報記録／再生部３１は、図９（Ｅ）に示すように、光ピックアップ１０を制御することにより補償用記録信号Ｓｗに基づいて記録層１０１の補償用記録領域に記録マークＲＭを形成し、当該記録マークＲＭに基づいて再生信号ＲＦを生成する。なお図９（Ｄ）及び（Ｅ）では、説明の便宜上、定数を１としたときの補償用記録信号Ｓｗ及び当該補償用記録信号Ｓｗに基づいて形成される記録マークＲＭを示している。
【００６８】
そして記録補償処理部３０は、再生クロック生成部３２、分布基準レベル決定部３３、ゼロクロス時間誤差算出部３４及び補正量算出部３５によって同様の処理を再度実行することにより、補償用記録信号Ｓｗに基づいて記録補正量を再度算出する。
【００６９】
すなわち記録補償処理部３０は、補正量算出部３５により全てのマーク長に対応する平均時間誤差ＡΔＴが当該時間誤差閾値未満であると判別するまで記録補正量の算出を繰り返す。
【００７０】
記録補償処理部３０は、全てのマーク長に対応する平均時間誤差ＡΔＴが当該時間誤差閾値未満であると判別すると記録補正量の算出を終了し、信号処理部４に記録補正量を設定し、記録補正量算出処理を終了する。
【００７１】
これにより記録補償処理部３０は、図９（Ｂ）と対応する図９（Ｆ）に示すように、白レベル及び黒レベルのばらつきに応じて設定された分布基準レベルＡＤで再生信号ＲＦがゼロクロスするような記録マークＲＭを形成し得る補償用記録信号Ｓｗを生成するための記録補正量を算出することができる。
【００７２】
そして光ディスク装置１は、信号処理部４によって外部機器などから供給される記録情報に基づく記録情報信号を記録補正量だけ補正して記録信号を生成する記録補償処理を実行することにより、記録補正量に基づいて記録マークＲＭの長さを調整しながら、光ディスク１００に記録情報を記録するようになされている。
【００７３】
これにより光ディスク装置１は、分布基準レベルＡＤでゼロクロスする（すなわち「Ｈｉｇｈ」と「Ｌｏｗ」の期間が等しくなる）ように再生信号ＲＦを生成させる記録マークＲＭを記録層１０１に形成することが可能となる。
【００７４】
すなわち光ディスク装置１は、図１０（Ａ）に示すように、記録情報信号を記録補正量だけ補正することにより、破線で示す長さ（補償前）であった記録マークＲＭを実線で示す長さ（補償後）に修正する。
【００７５】
この結果光ディスク装置１は、図１０（Ｂ）に示すように、分布基準レベルＡＤを基準（ゼロ）としたときに、ゼロクロスのタイミングが目標クロスタイミングからずれていた再生ＲＦ信号（補償前、破線で示す）を、当該目標クロスタイミングでゼロクロスする再生ＲＦ信号（補償後、実線で示す）に調整することができる。
【００７６】
このため光ディスク装置１は、情報再生処理の際、再生信号ＲＦにおいて「Ｈｉｇｈ」の期間及び「Ｌｏｗ」の期間が所定の閾値設定期間において等しくなるように二値化閾値ＡＯを設定する従来と同様の処理により、白レベルと黒レベルのばらつきの差異に応じた二値化判定に適する分布基準レベルＡＤ付近に二値化閾値ＡＯを設定し得るようになされている。
【００７７】
（３）記録補正量算出処理の手順
次に、記録補償プログラムに従って実行される記録補正量算出処理手順について、図１１〜図１３のフローチャートを用いて説明する。
【００７８】
図１１に示すように、光ディスク装置１の制御部２は、情報記録処理を開始すると記録補正量算出処理手順ＲＴ１を開始し、ステップＳＰ１に移る。
【００７９】
ステップＳＰ１において制御部２は、ＲＯＭから読み出した補償用記録情報に基づいて記録層１０１における所定の補償用記録領域に補償用記録情報を記録すると、次のステップＳＰ２へ移る。
【００８０】
ステップＳＰ２において制御部２は、ステップＳＰ１において記録した補償用記録情報を読み出して再生信号ＲＦの生成を開始すると、次のステップＳＰ３へ移る。
【００８１】
ステップＳＰ３において、制御部２は、再生ＲＦ信号から再生クロックＣＬｒの抽出を開始すると、次のステップＳＰ４へ移る。
【００８２】
ステップＳＰ４において、制御部２は、再生信号ＲＦと再生クロックＣＬｒとを同期させると、次のステップＳＰ５へ移る。なお以降の処理において、再生ＲＦ信号からの再生クロックＣＬｒの抽出と、再生ＲＦ信号と再生クロックＣＬｒとの同期は継続して実行される。
【００８３】
ステップＳＰ５において、制御部２は、サブルーチンＳＲＴ１１のステップＳＰ２３へ移り、再生信号ＲＦにおける白レベル及び黒レベルのばらつきに応じた分布基準レベルＡＤを決定する閾値決定処理手順（図１２）を実行する。
【００８４】
ステップＳＰ２３において、制御部２は、再生クロックＣＬｒの立ち上がりに合わせた黒白検出タイミングに応じて再生信号ＲＦの信号レベルを検出してサンプリングすると、次のステップＳＰ２４へ移る。
【００８５】
ステップＳＰ２４において、制御部２は、ステップＳＰ２３においてサンプリングした再生信号ＲＦが黒レベルであるか否かを判別し、肯定結果が得られた場合には、当該再生信号ＲＦの信号レベルを黒レベルに分類すると共に当該信号レベルをＲＡＭに一時記憶し、次のステップＳＰ２５へ移る。
【００８６】
またステップＳＰ２４において否定結果が得られた場合、制御部２は、ステップＳＰ２３においてサンプリングした再生信号ＲＦの信号レベルを白レベルに分類すると共に当該信号レベルをＲＡＭに一時記憶し、次のステップＳＰ２６へ移る。
【００８７】
ステップＳＰ２６おいて、制御部２は、所定の統計数だけ再生ＲＦ信号の信号レベルをサンプリングしたか否かについて判別し、否定結果が得られた場合、ステップＳＰ２３へ戻って処理を継続する。
【００８８】
これに対してステップＳＰ２５において肯定結果が得られた場合、制御部２は、次のステップＳＰ２８へ移り、ＲＡＭに黒レベル及び白レベルに分類されて記憶されている再生ＲＦ信号の信号レベルから、白レベルの分布曲線ＷＣ及び黒レベルの分布曲線ＢＣを生成する。さらに制御部２は、当該分布曲線ＷＣ及びＢＣの交点を分布基準レベルＡＤとして算出すると、閾値決定処理手順ＳＲＴ１１を終了し、記録補正量算出処理手順ＲＴ１（図１１）のステップＳＰ６へ移る。
【００８９】
ステップＳＰ６において、制御部２は、サブルーチンＳＲＴ１２（図１３）のステップＳＰ４２へ移り、分布基準レベルＡＤを基準（ゼロ）としたときの再生信号ＲＦのゼロクロスタイミングと、目標クロスタイミングとの時間差の平均である平均時間誤差ＡΔＴを算出する平均時間誤差算出処理を実行する。
【００９０】
ステップＳＰ４２において、制御部２は、処理対象となるマーク長である処理対象マーク長を決定すると、次のステップＳＰ４３に移る。
【００９１】
ステップＳＰ４３において、制御部２は、処理対象マーク長の開始エッジＥｓに対応する再生ＲＦ信号のゼロクロスタイミングを時間として検出すると、次のステップＳＰ４４へ移る。
【００９２】
ステップＳＰ４４において、制御部２は、ステップＳＰ４３において検出されたゼロクロスタイミングと、再生クロックＣＬｒの立ち下がりタイミングである目標クロスタイミングとの時間差をゼロクロス時間誤差ΔＴとして算出すると、当該ゼロクロス時間誤差ΔＴをＲＡＭに一時記憶し、次のステップＳＰ４４へ移る。
【００９３】
ステップＳＰ４５において、制御部２は、処理対象マーク長の開始エッジＥｓについて算出されたゼロクロス時間誤差ΔＴが所定の算出数に到達したか否かについて判別し、否定結果が得られた場合には、ステップＳＰ４３へ戻り、ゼロクロス時間誤差ΔＴの算出を継続する。
【００９４】
これに対してステップＳＰ４５において肯定結果が得られた場合、制御部２は、次のステップＳＰ４６へ移り、処理対象マーク長の開始エッジＥｓについてのゼロクロス時間誤差ΔＴの平均値を平均時間誤差ＡΔＴとして算出し、次のステップＳＰ４７へ移る。
【００９５】
ステップＳＰ４７において、制御部２は、処理対象マーク長の終了エッジＥｅに対応する再生ＲＦ信号のゼロクロスタイミングを時間として検出すると、次のステップＳＰ４８へ移る。
【００９６】
ステップＳＰ４８において、制御部２は、ステップＳＰ４７において検出されたゼロクロスタイミングと、目標クロスタイミングとの時間差をゼロクロス時間誤差ΔＴとして算出すると、当該ゼロクロス時間誤差ΔＴをＲＡＭに一時記憶し、次のステップＳＰ４９へ移る。
【００９７】
ステップＳＰ４９において、制御部２は、処理対象マーク長の終了エッジＥｅについて算出されたゼロクロス時間誤差ΔＴが所定の算出数に到達したか否かについて判別し、否定結果が得られた場合には、ステップＳＰ４７へ戻り、ゼロクロス時間誤差ΔＴの算出を継続する。
【００９８】
これに対してステップＳＰ４９において肯定結果が得られた場合、制御部２は、次のステップＳＰ５０へ移り、処理対象マーク長の終了エッジＥｅについてのゼロクロス時間誤差ΔＴの平均値を平均時間誤差ＡΔＴとして算出し、次のステップＳＰ５１へ移る。
【００９９】
ステップＳＰ５１において、制御部２は、全てのマーク長について処理を終了したか否かを判別し、否定結果が得られた場合には、ステップＳＰ４２へ戻り、未だ処理を実行していないマーク長を処理対象マーク長に決定し、処理を継続する。
【０１００】
これに対してステップＳＰ５１において肯定結果が得られた場合、制御部２は、平均時間誤差算出処理手順ＳＲＴ１２を終了し、記録補正量算出処理手順ＲＴ１（図１１）のステップＳＰ７へ移る。
【０１０１】
ステップＳＰ７において、制御部２は、全てのマーク長についての平均時間誤差ＡΔＴが所定の時間誤差閾値未満であるか否かについて判別し、否定結果が得られた場合には、次のステップＳＰ８へ移り、平均時間誤差ＡΔＴに基づいて記録補正量を算出すると、これを信号処理部４に設定し、次のステップＳＰ１へ戻り、処理を繰り返す。
【０１０２】
これに対してステップＳＰ８において肯定結果が得られた場合、制御部２は、終了ステップへ移り、記録補正量算出処理を終了する。
【０１０３】
（４）動作及び効果
以上の構成において、光ディスク装置１は、記録情報から生成される記録信号に基づいて基準となる基準マーク長（１Ｔ）の整数倍で構成される複数のマーク長（２Ｔ〜８Ｔ）でなる記録マークＲＭを記録媒体としての光ディスク１００に形成することにより記録情報を記録する。
【０１０４】
また光ディスク装置１は、記録情報信号に対する記録補正量を算出する記録補正量算出処理の際、予めＲＯＭに記憶されている任意の記録情報である補償用記録情報から生成される補償用記録信号Ｓｗに基づいて光ディスク１００に記録マークＲＭを形成することにより補償用記録情報を記録した後、光ディスク１００から補償用記録情報を読み出して再生信号ＲＦを生成する。
【０１０５】
さらに光ディスク装置１は、１Ｔに対応する周期の再生クロックＣＬｒとして、立ち上がり及び立ち下がりの１周期を１Ｔに対応させた再生クロックＣＬｒを再生信号ＲＦから生成する。また光ディスク装置１は、白レベル及び黒レベルのばらつきをそれぞれ表す分布曲線ＷＣ及びＢＣの交点を分布基準レベルＡＤとすることにより、再生信号ＲＦにおける白レベル及び黒レベルのばらつきの差異に応じて、当該再生信号ＲＦの二値化判定に適する信号レベルを分布基準レベルＡＤとして決定する。
【０１０６】
さらに光ディスク装置１は、再生クロックＣＬｒの立ち下がりタイミングである目標クロスタイミング付近において再生信号ＲＦを分布基準レベルＡＤに近づけるように補償用記録信号Ｓｗを補正する補正量を記録補正量として算出する。
【０１０７】
そして光ディスク装置１は、情報記録処理の際、記録情報から生成される記録情報信号を記録補正量だけ補正することにより生成された記録信号に基づいて、光ディスク１００に記録マークＲＭを形成するようにした。
【０１０８】
これにより光ディスク装置１は、再生信号ＲＦにおいて「Ｈｉｇｈ」及び「Ｌｏｗ」が等しくなる信号レベルを分布基準レベルＡＤ付近にすることができる。この結果光ディスク装置１は、情報再生処理の際、二値化閾値ＡＯを白レベル及び黒レベルのばらつきの差異に応じた分布基準レベルＡＤ付近に設定させることができ、エラーレートを小さくすることができる。
【０１０９】
すなわち光ディスク装置１は、実際に補償用記録情報を光ディスク１００に記録し、得られる再生信号ＲＦに対する二値化閾値ＡＯが分布基準レベルＡＤになるように補償用記録信号Ｓｗを補正できる記録補正量を算出する。具体的に光ディスク装置１は、記録信号を時間軸方向に補正することにより記録マークＲＭの長さを修正し、再生信号ＲＦの波形を時間軸方向に調整することにより、分布基準レベルＡＤを基準としたときに「Ｈｉｇｈ」と「Ｌｏｗ」の期間で等しくさせる。
【０１１０】
そして光ディスク装置１は、光ディスク１００に記録情報を記録する際、記録情報から生成される記録情報信号を記録補正量だけ補正して記録信号を生成する記録補償処理を実行することにより、再生信号ＲＦの「Ｈｉｇｈ」と「Ｌｏｗ」の期間が等しくなる信号レベルを分布基準レベルＡＤ付近にすることができる。
【０１１１】
このため光ディスク装置１は、光ディスク１００を再生する光ディスク装置に対し、従来通り再生信号ＲＦの「Ｈｉｇｈ」と「Ｌｏｗ」の期間が等しくなる信号レベルを二値化閾値ＡＯに設定させれば良く、当該光ディスク１００を再生する光ディスク装置の構成を簡易にすることができる。
【０１１２】
また一般的に情報再生処理が実行される回数は情報記録処理が実行される回数よりも多いため、情報再生処理が迅速に開始されることが望ましい。光ディスク装置１は、従来と同様にして二値化閾値ＡＯを設定させれば済むため、情報再生処理において二値化閾値ＡＯを設定する処理を簡易化することができる。このため光ディスク装置１は、情報再生処理の際に白レベル及び黒レベルのばらつきに応じた二値化閾値ＡＯを設定させる光ディスク装置と比較して、情報再生処理を開始するまでの時間を短縮することができる。
【０１１３】
さらに一般的な光ディスク装置では、光ディスク１００の記録層１０１の記録特性のばらつきに対応するため記録補償処理を実行する必要がある。光ディスク装置１は、この記録補償処理を利用して情報再生処理の際に白レベル及び黒レベルのばらつきに応じた二値化閾値ＡＯを設定させるよう記録マークＲＭの長さを修正することにより、簡易な処理でエラーレートを低下させることができる。
【０１１４】
また光ディスク装置１は、白レベルにおける信号レベルと当該信号レベルの出現確率との関係を表す分布曲線ＷＣと、黒レベルにおける信号レベルと当該信号レベルの出現確率との関係を表す分布曲線ＢＣとの交点を分布基準レベルＡＤに決定するようにした。
【０１１５】
これにより光ディスク装置１は、白レベルのばらつきと黒レベルのばらつきとから二値化判定するために適した信号レベルを分布基準レベルＡＤに決定することができ、情報再生処理において設定される二値化閾値ＡＯをエラーレートを低下させ得る適切な信号レベル付近に設定させることが可能となる。
【０１１６】
さらに光ディスク装置１は、再生クロックＣＬｒの立ち上がりのタイミングにおける信号レベルを白レベル又は黒レベルの信号レベルとして検出することにより、ピークトップを検出して白レベル又は黒レベルの信号レベルを検出する方法と比して、白レベル又は黒レベルの信号レベルを簡易に検出することができる。
【０１１７】
また光ディスク装置１は、再生信号ＲＦが分布基準レベルＡＤとなるゼロクロスタイミングと、目標クロスタイミングとの時間差であるゼロクロス時間誤差ΔＴの平均値である平均時間誤差ＡΔＴから記録補正量を算出することにより、ゼロクロス時間誤差ΔＴに基づいて記録補正量を算出するようにした。
【０１１８】
これにより光ディスク装置１は、開始エッジＥｓ及び終了エッジＥｅに対応する部分の記録信号を時間軸方向に補正することができるため、開始エッジＥｓ及び終了エッジＥｅに対応する部分の再生信号ＲＦの波形を時間軸方向に調整することができる。
【０１１９】
さらに光ディスク装置１は、平均時間誤差ＡΔＴが時間誤差閾値未満であった場合には、記録補正量を算出し、平均時間誤差ＡΔＴが時間誤差閾値以上であった場合には、補償用情報記録／再生部３１によって記録補正量だけ補償用記録信号Ｓｗを補正させると共に、補償用記録情報の記録及び再生を実行させるようにした。
【０１２０】
これにより光ディスク装置１は、再生信号ＲＦが実際に分布基準レベルＡＤ付近でゼロクロスするまで記録補償処理を継続することができ、情報再生処理の際、分布基準レベルＡＤ付近に再生信号ＲＦの二値化閾値ＡＯを確実に設定させることができる。
【０１２１】
また光ディスク装置１は、平均時間誤差ＡΔＴに対し、１以下となる任意の定数を乗算することにより記録補正量を算出するようにした。
【０１２２】
ここで光ディスク装置１は、再生信号ＲＦから再生クロックＣＬｒを生成するのに対し、所定の記録クロックＣＬｗに従って補償用記録信号Ｓｗを生成する。すなわち再生クロックＣＬｒと記録クロックＣＬｗは必ずしも一致しない。このため光ディスク装置１は、仮にゼロクロス時間誤差ΔＴをそのまま記録補正量とすると、記録補正量が実際に必要とする補正量よりも大きくなってしまう可能性がある。
【０１２３】
さらに光ディスク装置１は、記録する一連のマークのエッジの位置を同時に補正するが、これにより例えば、隣接エッジからの干渉（いわゆる符合間干渉）の大きさが補正前に比べて変化し、結果的に過補正になるなど期待通りの補正結果をえられないことがある。すなわち光ディスク装置１は、開始エッジＥｓ及び終了エッジＥｅの双方に対して記録補正量を算出するため、例えば一のマーク長の開始エッジＥｓ及び終了エッジＥｅの双方に対してマーク長が小さくなるように記録補正量が設定された場合には、双方の位置補正が互いに影響し合い、その結果記録補正量が大きくなりすぎてしまう。
【０１２４】
このため光ディスク装置１は、平均時間誤差ＡΔＴに対し１以下となる任意の定数を乗算することにより、処理の繰り返しによる発散を防止し得、少ない処理回数で迅速に記録補正量を算出することができる。
【０１２５】
以上の構成によれば、光ディスク装置１は、光ディスク１００に実際に記録マークＲＭを形成して情報を記録し、当該光ディスクから情報を再生させて再生信号ＲＦを生成すると共に、再生信号ＲＦから再生クロックＣＬｒを生成する。さらに光ディスク装置１は、再生信号ＲＦのばらつきに応じて設定されるべき二値化判定の信号レベルを分布基準レベルＡＤとして決定し、各エッジＥ部分に対応する再生信号ＲＦが再生クロックＣＬｒの立ち下がりのタイミング付近で分布基準レベルＡＤに交わるように再生信号ＲＦの波形を調整できるような補償用情報信号に対する記録補正量を算出すると共に、情報記録処理の際、記録情報信号を記録補正量だけ補正して記録信号を生成し、記録マークＲＭの長さを修正する。これにより光ディスク装置１は、情報再生処理の際、再生クロックＣＬｒの立ち下がりのタイミング付近で再生信号ＲＦを分布基準レベルＡＤと交わらせることができるため、二値化閾値ＡＯを分布基準レベルＡＤ付近に設定させることができ、かくしてエラーレートを低下させ得る光情報記録装置及び記録補正量算出方法を実現できる。
【０１２６】
（５）他の実施の形態
なお上述した実施の形態においては、開始エッジＥｓ及び終了エッジＥｅのそれぞれについて記録補正量を算出するようにした場合について述べたが、本発明はこれに限らず、例えば開始エッジＥｓ又は終了エッジＥｅのいずれか一方のみについて記録補正量を算出しても良い。
【０１２７】
また上述した実施の形態においては、マーク長ごとに記録補正量を算出するようにした場合について述べたが、本発明はこれに限らず、マーク長とスペースの長さとの組み合わせごとに記録補正量を算出するようにしても良い。これにより一段と高い精度で記録補償処理を実行することが可能となる。
【０１２８】
例えば、最小マーク長及び最小スペースが２Ｔとなる変調方式によって信号を記録する場合において、エッジＥ前後の３クロックのみに着目した組み合わせで記録補正量を算出する場合、３Ｔ以上のマーク＋３Ｔ以上のスペース、３Ｔ以上のマーク＋２Ｔスペース＋次のマーク、手前のスペース＋２Ｔマーク＋３Ｔスペース、手前のスペース＋２Ｔマーク＋２Ｔスペース＋次のマークの４通りの組み合わせが存在するため、この４通りの組み合わせについて記録補正量を算出する。またエッジ前後の４クロックのみに着目した場合には、２Ｔ、３Ｔ、４Ｔ以上のマーク及びスペースの組み合わせについて記録補正量を算出する。
【０１２９】
これにより、全てのマーク長とスペースの長さとの組み合わせについて記録補正量を算出する場合と比較して、必要となる補償用記録情報の量を減少させることができるため、記録補正量算出処理に要する時間を短縮することができる。
【０１３０】
さらに上述した実施の形態においては、すべてのマーク長（２Ｔ〜８Ｔ）の記録マークＲＭに対応する再生信号ＲＦから分布基準レベルを決定するようにした場合について述べたが、本発明はこれに限らず、例えば２Ｔマーク及び２Ｔスペースに対応する白レベル及び黒レベルが他のマーク長と極端に異なるような場合には、これらを除いて分布基準レベルを決定するようにしても良い。この場合であっても、２Ｔマークについての記録補正量を算出して記録補償処理を実行することができ、上述した実施の形態と同様の効果を得ることができる。
【０１３１】
さらに上述した実施の形態においては、再生クロックＣＬｒの立ち上がりを黒白検出タイミングとし、再生クロックＣＬｒの立ち下がりを目標クロスタイミングとするようにした場合について述べたが、本発明はこれに限らず、立ち上がりを目標クロスタイミング、立下りを黒白検出タイミングとしても良い。
【０１３２】
さらに上述した実施の形態においては、再生信号ＲＦを生成しながら随時再生クロックＣＬｒを生成し、同時に白レベル及び黒レベルを検出して分布基準レベルを算出するようにした場合について述べたが、本発明はこれに限らず、例えば再生信号ＲＦから再生クロックＣＬｒを生成すると共に当該再生信号ＲＦ及び再生クロックＣＬｒをＲＡＭに一時記憶しておき、再生信号ＲＦと再生クロックＣＬｒを同期させて読み出しながら白レベル及び黒レベルを検出して分布基準レベルを算出するようにしても良い。また平均時間誤差ＡΔＴの算出についても同様である。
【０１３３】
さらに上述した実施の形態においては、一のマーク長の開始エッジＥｓについて平均時間誤差ＡΔＴを算出した後、当該一のマーク長の終了エッジＥｅについて平均時間誤差ＡΔＴを算出し、その後次のマーク長に移って平均時間誤差ＡΔＴを算出するようにした場合について述べたが、本発明はこれに限らず、補償用記録情報における記録パターンに従って同時平行的に各マーク長における各エッジＥについて平均時間誤差ＡΔＴを算出するようにしても良い。
【０１３４】
さらに上述した実施の形態においては、光ディスク装置１は記録層１０１にホログラムでなる記録マークＲＭを形成するようにした場合について述べたが、本発明はこれに限らず、例えば予めホログラムが形成された記録層１０１に対して光ビームを照射することにより照射位置におけるホログラムを破壊して記録マークを形成しても良く、また光ビームの照射に応じて気泡でなる記録マークを形成するようにしても良い。
【０１３５】
この場合であっても、記録マークが立体的に形成されていることにより、当該記録マークによって変調された光ビームの白レベル及び黒レベルにばらつきが生じることから、上述した実施の形態と同様の効果を得ることができる。
【０１３６】
さらに上述した実施の形態においては、光ディスク１００は立体的な記録マークが形成される体積型記録媒体である場合について述べたが、本発明はこれに限らず、例えばＢＤやＤＶＤのように情報記録膜を有し、当該情報記録膜の反射率を変化させることにより記録マークを形成する一般的な記録媒体であっても良い。すなわち本発明は、再生信号ＲＦにおける白レベル及び黒レベルにばらつきが生じるような全ての記録媒体に情報を記録する光情報記録装置に適用することが可能である。
【０１３７】
さらに上述した実施の形態においては、予めＲＯＭに記憶された補償用記録情報を記録するようにした場合について述べたが、本発明はこれに限らず、例えば外部機器から供給される記録情報を補償用記録情報として用いるようにしても良い。
【０１３８】
さらに上述した実施の形態においては、基準マーク長に対応する周期の再生クロックとして、１周期が１Ｔマークに対応する再生クロックＣＬｒを生成するようにした場合について述べたが、本発明はこれに限らず、例えば基準マーク長の半分の長さに対応する周期の１Ｔマークに対応する（すなわち１Ｔに対応する長さが２周期に相当する）再生クロックＣＬｒを生成するようにしても良い。
【０１３９】
さらに上述した実施の形態においては、白レベルの分布曲線ＷＣ及び黒レベルの分布曲線ＢＣの交点を分布基準レベルＡＤに決定するようにした場合について述べたが、本発明はこれに限らず、その他種々の手法により、白レベル及び黒レベルのばらつきに差異に応じて再生信号の二値化判定に適する信号レベルを算出するようにしても良い。
【０１４０】
さらに上述した実施の形態においては、目標クロスタイミングと分布基準レベルとの時間差であるゼロクロス時間誤差ΔＴに基づいて記録補正量を算出するようにした場合について述べたが、本発明はこれに限らず、例えば目標クロスタイミングにおける分布基準レベルと再生信号ＲＦの信号レベルとの差異から記録補正量を算出するようにしても良い。
【０１４１】
さらに上述した実施の形態においては、平均時間誤差ＡΔＴに対して任意の定数を乗算することにより記録補正量を算出するようにした場合について述べたが、本発明はこれに限らず、例えば平均時間誤差ＡΔＴをそのまま記録補正量とするようにしても良い。また平均時間誤差ＡΔＴの値に応じた定数や係数などを乗算することも可能である。またゼロクロス時間誤差ΔＴに対して逐次定数を乗算し、乗算値の平均値を記録補正量とするようにしても良い。
【０１４２】
さらに上述した実施の形態においては、平均時間誤差ＡΔＴが時間誤差閾値未満になるまでステップＳＰ１〜ステップＳＰ６の処理を繰り返すようにした場合について述べたが、本発明はこれに限らず、ステップＳＰ６からステップＳＰ８に進み、記録補正量を算出すると、そのまま記録補正量算出処理を終了するようにしても良い。
【０１４３】
さらに上述した実施の形態においては、基準マーク長１Ｔに対して２Ｔ〜８Ｔの長さを持つ変調方式を用いて情報を記録するようにした場合について述べたが、本発明はこれに限らず、例えば３Ｔ〜１４Ｔなどの長さを持つ変調方式などを用いた記録装置に適用しても良い。
【０１４４】
さらに上述した実施の形態においては、補償用記録情報を記録する記録装置と、記録された補償用記録情報を再生する再生装置は、同一の記録装置により実現するようにした場合について述べたが、本発明はこれに限らず、補償用記録情報を記録する装置と、記録された補償用記録情報を再生する再生装置は、それぞれ異なる装置として構成しても良い。例えば予め工場において情報を記録して出荷するような光ディスク１００に、このような構成を適用する場合、記録装置は高価な高精度記録装置により実現し、また再生装置はユーザが市場で購入する安価な再生装置と同等な装置を用いることにより、ユーザが使用する安価な再生装置の特性に適した記録補償を実現できる。
【０１４５】
さらに上述した実施の形態により求めた記録補正量を、例えば記録補正処理部を持たない他の記録装置に予め保存しておくようにしても良い。
【０１４６】
さらに上述した実施の形態においては、記録補正量を算出するのに使用する光ディスク１００と、実際に記録補正量を適用して情報を記録する光ディスク１００とが同一であるようにした場合について述べたが、本発明はこれに限らず、記録補正量を求めるための光ディスク１００と、求められた記録補正量を適用して所望の記録情報を記録する光ディスク１００は異なる媒体でも良い。
【０１４７】
この場合、記録媒体や記録装置の特性に個体差が少なく管理されてさえいれば、予め求めておいた記録補正量を他の記録装置や記録媒体に対して適用しても同等の効果を得ることができ、記録の度に補正量を求める方法と比較して、記録補正量の算出処理を実行する回数を減少させることができ、迅速に情報を記録開始することができる。
【０１４８】
さらに上述した実施の形態においては、円盤状でなる光ディスク１００にホログラムでなる記録マークＲＭが記録されるようにした場合について述べたが、本発明はこれに限らず、例えばキューブ状でなる光情報記録媒体に記録マークＲＭが記録されるようにしても良い。
【０１４９】
さらに上述した実施の形態においては、補償用情報記録再生部としての補償用情報記録／再生部３１と、再生クロック生成部としての再生クロック生成部３２と、分布基準レベル決定部としての分布基準レベル決定部３３と、補正量算出部としてのゼロクロス時間誤差算出部３４及び補正量算出部３５とによって光情報記録装置としての光ディスク装置１を構成するようにした場合について述べたが、本発明はこれに限らず、その他種々の構成でなる補償用情報記録再生部と、再生クロック生成部と、分布基準レベル決定部と、補正量算出部とによって本発明の光情報記録装置を構成するようにしても良い。
【産業上の利用可能性】
【０１５０】
本発明は、音楽コンテンツや映像コンテンツ或いは各種データ等を記録する記録媒体おいて利用することができる。
【図面の簡単な説明】
【０１５１】
【図１】光ディスク装置の構成を示す略線図である。
【図２】光ピックアップの外観構成を示す略線図である。
【図３】記録マークの形成（１）の説明に供する略線図である。
【図４】記録マークの形成（２）の説明に供する略線図である。
【図５】情報の再生の説明に供する略線図である。
【図６】再生信号の波形とそのばらつきの説明に供する略線図である。
【図７】記録補償処理部の構成を示す略線図である。
【図８】補償用記録情報の記録と再生の説明に供する略線図である。
【図９】記録信号の補正の説明に供する略線図である。
【図１０】再生信号の波形の調整の説明に供する略線図である。
【図１１】記録補正量算出処理手順を示すフローチャートである。
【図１２】閾値決定処理手順を示すフローチャートである。
【図１３】平均時間誤差算出処理手順を示すフローチャートである。
【符号の説明】
【０１５２】
１……光ディスク装置、２……制御部、３……駆動制御部、４……信号処理部、１０……光ピックアップ、３１……補償用情報記録／再生部、３２……再生クロック生成部、３３……分布基準レベル決定部、３４……ゼロクロス時間誤差算出部、３５……補正量算出部、１００……光ディスク、１０１……記録層、１０２、１０３……基板、ＡＯ……二値化閾値、ＡＤ……分布基準レベル、Ｓｗ……補償用記録信号、ＲＭ……記録マーク、ＲＦ……再生信号、Ｅｓ……開始エッジ、Ｅｅ……終了エッジ、ΔＴ、ΔＴ２ｓ〜ΔＴ８ｓ、ΔＴ２ｅ〜ΔＴ８ｅ……ゼロクロス時間誤差、ＡΔＴ……平均時間誤差。
【図１】
0004491754.tif 000002
【図２】
0004491754.tif 000003
【図３】
0004491754.tif 000004
【図４】
0004491754.tif 000005
【図５】
0004491754.tif 000006
【図７】
0004491754.tif 000007
【図８】
0004491754.tif 000008
【図９】
0004491754.tif 000009
【図１０】
0004491754.tif 000010
【図１１】
0004491754.tif 000011
【図１２】
0004491754.tif 000012
【図１３】
0004491754.tif 000013
【図６】
0004491754.tif 000014